(57)【要約】      （修正有） 【課題】各種のハードディスクを極めて簡単に着脱できると共に電気的に接続して使用することのできる外付けのハードディスクのハードディスクケースの提供。【解決手段】本体ケースの上面に開口部を有し、開口部は少なくともハードディスクの端子部を挿入可能でハードディスクの端子部を挿入可能な深さを有し、更に開口部の底部にはハードディスクと連接するための端子部を有し、開口部にハードディスクの端子部方向を挿入し、底部の端子部とハードディスクの端子部とを連結することによってハードディスクを着脱自在に装着できるハードディスクケースによって解決できる。【選択図】図１
0003134695.tif 000002
【実用新案登録請求の範囲】
【請求項１】
本体ケース１の上面に開口部１１を有すると共に少なくともハードディスクの端子部を挿入可能な開口部１１であり、
該開口部１１内は少なくともハードディスクの端子部を挿入可能な深さを有し、
更に該開口部１１の底部にはハードディスクと連接するための端子部１４を有し、
該開口部１１にハードディスクの端子部方向を挿入し、該底部の端子部１４とハードディスクの端子部とを連結することによってハードディスクを着脱自在に装着できることを特徴とするハードディスクケース。
【請求項２】
該開口部１１には開披可能な蓋体２を有することを特徴とする請求項１記載のハードディスクケース。
【請求項３】
該蓋体２が略平板状よりなり、平板状の一辺部２００を軸辺として弾性部材により回動可能に構成し、
弾性部材により開口部１１を閉鎖状態に維持するが、弾力に抗して蓋体２を回動することによって開口部１１を開被するものであることを特徴とする請求項２記載のハードディスクケース。
【請求項４】
少なくとも３．５インチのハードディスクを挿入可能な開口部１１を有すると共に該蓋体２が略Ｌ字状に構成されており、開口部１１に装着した略Ｌ字状の切り欠き部が少なくとも２．５インチハードディスクを挿入可能な切り欠き部であることを特徴とする請求項２又は３のいずれかに記載のハードディスクケース。
【請求項５】
本体ケース１に少なくともスイッチ部１６と電源供給用端子部１５とを有することを特徴とする請求項１乃至４いずれかに記載のハードディスクケース。
【請求項６】
本体ケース１に少なくともコンピューター等の他の機種に連接するための端子部を有すると共に、該連接のための端子部の規格と異なる他の規格の端子部を合わせ有することを特徴とする請求項１乃至５いずれかに記載のハードディスクケース。
【考案の詳細な説明】
【技術分野】
【０００１】
本考案は、ハードディスクのケースであって、該ケースに立設することによってハードディスクを使用可能状態にするハードディスクドライブケースに関する。
【背景技術】
【０００２】
従来より、コンピューターのハードディスクは本体ケース内に収納するものが多用されているが、それに併せて外部機器としてハードディスクを連設し、ディスク領域の拡大を図るために外部ストレージに連設する外付けハードディスクが多用されている。
例えば、特開２００７‐９５１１２号（特許文献１）や特開２００７‐２６６１３号（特許文献２）等が存在する。
【０００３】
その他、密封可能なケース内にハードディスクを密封状態で収納し、ケーブル類でコンピューター本体に連設するハードディスクケースも存在する。
これらの場合耐衝撃性などを考慮し、ケース自体に耐衝撃性を有して構成されるものが多く、少なくとも衝撃からハードディスクを保護することが前提でハードディスク全体を密封するケースを使用するものであった。
【特許文献１】特開２００７‐９５１１２号
【特許文献２】特開２００７‐２６６１３号
【考案の開示】
【考案が解決しようとする課題】
【０００４】
以上の様に、外付けハードディスクのケースはハードディスクの外部からの衝撃に対する破損を考慮しケース内に密封するものであることから、ケース内への装着や取り外しが煩雑であり、機器によっては技術を要するものが多用されるものである。
或いは多用される他の構成として予め機器内にハードディスクを内蔵しており、ハードディスクの着脱は不可とするものも存在する。
しかし、現在徐々にハードディスクの耐衝撃性自体が向上し始めているものであって、過剰なカバーはそれほど必要でもなくなり始めている。
【０００５】
更に外付けハードディスクといえども、外に持ち出して多様は場所に運びながら使用するものでは無く一定の場所での使用を前提とするハードディスクケースであれば、殊更過重なケースは不要となっているものである。
従って、例えば机上等での使用を前提とするのであれば耐衝撃性よりも使い勝手の向上が望まれ、簡単にハードディスクを装着でき、併せて他のハードディスクへの交換を簡単にするハードディスクケースが望まれるものである。
【課題を解決するための手段】
【０００６】
以上のように係る課題を見事に解決するため、ハードディスクの装着が極めて簡単であると共に装着したハードディスクの交換も極めて簡単なハードディスクケースの提供を課題とするものである。
係るため請求項１に係る考案は、本体ケースの上面に開口部を有すると共に該開口部は少なくともハードディスクの端子部を挿入可能な開口部であり、該開口部内は少なくともハードディスクの端子部を挿入可能な深さを有し、更に該開口部の底部にはハードディスクと連接するための端子部を有し、該開口部にハードディスクの端子部方向を挿入し、該底部の端子部とハードディスクの端子部とを連結することによってハードディスクを着脱自在に装着できるハードディスクケースよりなり、係る考案によって前記課題を解決できる。
【０００７】
又、請求項２に係る考案は、該開口部に開被可能な蓋体を有するハードディスクケースからなり、係る構成であってもよい。
請求項３に係る考案は、該蓋体が略平板状よりなり、平板状の一辺部を軸辺として弾性部材により回動可能に構成し、弾性部材により開口部を閉鎖状態に維持するが、弾力に抗して蓋体を回動することによって開口部を開被するものであるハードディスクケースであり、係る構成でもよい。
【０００８】
請求項４に係る考案は、少なくとも３．５インチのハードディスクを挿入可能な開口部を有すると共に該蓋体が略Ｌ字状に構成されており、開口部に装着した略Ｌ字状の切り欠き部が少なくとも２．５インチハードディスクを挿入可能な切り欠き部であるハードディスクケースからなるものであり、この構成によっても簡単にハードディスクを着脱することができる。
【０００９】
これらの場合、請求項５に係る考案のように本体ケースに少なくともスイッチ部と電源供給用端子とを有するハードディスクケースでも、或いは請求項６に係る考案のように本体ケースに少なくともコンピューター等の他の機種に連接するための端子部を有すると共に、該連接のための端子部の規格と異なる他の規格の端子部を合わせ有するハードディスクケースを用いるものであってもよい。
【考案の効果】
【００１０】
以上のように請求項１に係る考案によって、ハードディスクを立設状態で簡単に着脱可能とし、更に電気的に接続可能とすることができる。
従って、だれでも簡単かつ容易に外付けのハードディスクを設置可能とするものであると共に簡単にハードディスクの交換を行なえるものである。
更に請求項２に係る考案によって、蓋体による本体開口部内部底部のハードディスクと連接するための端子部を保護できることとなる。
【００１１】
又請求項３に係る考案によれば、該蓋体を簡単に開被でき、ハードディスクを開口部内に挿入することを可能とすることができる。
更にはハードディスクを外した際にも弾力によって自動的に閉鎖状態とできる。
請求項４に係る考案によれば、３．５インチハードディスクと共に形状の異なる２．５インチハードディスクをも併せて使用することができ、使い勝手を飛躍的に向上できる。
【００１２】
又請求項５に係る考案によればスイッチと電源供給部を有することによって本機器自体による制御を可能とする。
請求項６に係る考案によれば、コンピューター等の他の機種に連接するための端子部を有すると共に、該連接のための端子部の規格と異なる他の規格の端子部を合わせ有するものであり、本ハードディスクケースにハードディスクを装着して多種類の規格の多種類の機器と電気的な接続を可能とするものである。
【考案を実施するための最良の形態】
【００１３】
図１は、本考案に係るハードディスクケースの斜視図を示す図であり、本体は略立方体形状のケース本体１であって机上等にしっかりと置くことのできる形状を有する。
係るケース本体の上面部分には略Ｌ字状の蓋体２を有し、これによって開口部１１が覆われている。
該蓋体２は、幅広の平板状の一端方向に突出平板辺部２１を有して略Ｌ字状の平板状の蓋体２からなるものであってその切り欠き部分は長方形の開口部を構成するものとなる。
【００１４】
この蓋体２の一辺２００において、ここを軸として対向する他端辺２１０が開閉するものとなる。
従って、この蓋部２が一辺２００を軸として対向する他辺２１０が開口部１１内に入り込み或いは開口部１１外へ開かれるものである。
この場合、この蓋部２が開くことにより、該開口部１１内に３．５インチハードディスクが挿入可能となる。
【００１５】
更に、蓋体２を閉じた状態において切り欠き部は略長方形の開口部からなるものであって係る長方形の小さい開口部には２．５インチハードディスクを挿入することができる。
又、本図では図示していないが、本体ケース１の開口部１１内にはハードディスク用の端子部１４を有しており、ハードディスクの端子部を差し込むことによって簡単に装着できるものである。
【００１６】
以上よりハードディスクの端子部を底部方向に向けて開口部１１内に挿入することによって、本体ケース１の端子部１４に連結することができ、電気的に連設可能となる。
従って、本体ケース１の開口部１１にハードディスクの端子部から該ケース１の開口部１１に挿入することによって、開口部１１内にハードディスクを装着できると共にハードディスクの端子部と本体ケース１内の端子部１４とを嵌合等の連接によりハードディスクを装着できるハードディスクケースの提供が可能となる。
【００１７】
これは、単に開口部１１内にハードディスクを差し込めばよいだけであり、極めて簡単に装着できるものであり、端子同士の連接によって電気的にも接続することとなる。
更には、ハードディスクを引き抜くことによって簡単にハードディスクを引き抜くことができ取り外しができるものである。
図２は、図１に示す本考案に係るハードディスクケースを背面方向から視認した状態の一例を示す斜視図である。
【００１８】
本図に示すように本体ケース１の略長方形の開口部１１には一辺２００を軸部として開閉可能な蓋体２を有すると共に該蓋体２は略Ｌ字状よりなる小さい略長方形の切り欠き部を有している。
該本体ケース１の背面表面には電源供給用の端子部１５とスイッチ部１６とパソコンなどの他の機器と連接するための規格の異なる二種類のコネクタと連接可能な端子部１７、１８を有している。
本図構成においてはＥ−ＳＡＴＡ端子部１７と、ＵＳＢ端子部１８とを有している。
【００１９】
本図は一例であって、この他に他の規格のコネクタと連接可能とするための他の規格の端子部を有するもの例えばＳＡＴＡ端子部等やＩＥＥＥ１３９４（Ｆｉｒｅ  Ｗｉｒｅ）端子部等であってもよく、或いは一の規格の端子部を一以上即ち例えば複数乃至多数有するものであってもよい。
これによって多様な他の機器と連接できることとなる。
図３は、本ハードディスクケースに３．５インチのハードディスク３を装着している一例を示す図である。
【００２０】
本図に示すようにハードディスク３が本ケース１にきっちりと装着され、不必要に倒れることや外れることは無い。
又、ハードディスク３の端子部分は本体ケース１の開口部１１内に挿入されており、端子同士がきっちりと連接していると共に該連接部分は保護されることとなる。
尚、３．５インチのハードディスク３を該開口部１１に挿入する際には蓋体２の軸部を軸心として蓋体２が開口部１１内に回動して折りこまれることによって開口部１１が開被してハードディスク３の挿入が可能となるものである。
【００２１】
尚、蓋体２は通常は閉鎖状態であり、例えばバネ部材等のような弾性体によって通常は閉鎖状態として、力を加えることによって回動して開口部を開被するものが望ましい。
尚、１２は、電源が入っているかどうかを視認するためのＬＥＤ部である。
図４は、本体ケース１の開口部１１内に２．５インチのハードディスク４を挿入している一例を示す図である。
本図に示す構成においては蓋体２の切り欠き部に２．５インチのハードディスク４を挿入し、装着している一例を示す図である。
【００２２】
この様に構成することによって２．５インチハードディスク４も体裁よくかつ簡単に装着できる。
もとより該切り欠き部を有さずに蓋体２を開被することによって装着するものであってももちろんよい。
或いはそもそも蓋体２を有さないものであってもよいものである。
図５は、本考案に係るハードディスクケースの本体開口部１１を視認した状態の一例を示す図である。
上面部分には略Ｌ字状の蓋体２を有しており、該蓋体２の小さい長方形状の切り欠き部から本体ケース１の開口部１１内の底部に有する端子部１４が視認できる。
【００２３】
従ってこの様に構成することによってハードディスクを装着した際に該端子１４にハードディスクの端子部を電気的に連接するための例えば端子部同士の嵌着等すればよいものである。
尚、それぞれの規格に応じたハードディスクの端子部と連接可能な端子部１４を有していればよいものであって、任意の必要な端子部１４を有していればよく、必要に応じて例えばコネクタ部を介して連接するものであってもよい。
尚、前記したように蓋体２を有する構成であり、この他そもそも蓋体２を有さないものであってもよいものである。
【００２４】
更に本図に示す蓋体２の形状のほか、各種の平板状の構成でもよく、例えば単なる長方形状の平板状の蓋体を用いるものであってもよい。
図６は、蓋体２の一辺部２００を軸辺として蓋体２が開口部１１内に回動し、開口部１１内の壁部方向に回りこまれた一例を示す図である。
これによって、開口部が広く開けられるものである。
尚、本体ケース１の開口部１１内の底部にはハードディスクと連接するための端子部１４を有する。
【００２５】
本図では蓋体２が開口部１１内に入り込んだ状態を示すが、この他例えば開口部１１の外側に押し開かれたものであってもよい。
少なくとも開口部１１が開被してハードディスクの挿入が可能となればよい。
又、蓋体２の回動する軸辺は本図に示す一辺２００でなく他の辺を軸辺として開被するものであってもよい。
図７は、本考案に係るハードディスクケースの前面に連接用の端子部１９を三箇所有する一例を示す図である。
【００２６】
本図ではＵＳＢ端子を三箇所設けたものであるが、これに限らず他の規格の端子部を任意の個数或いは複数の規格の端子を複数設けたものであってもよい。
図８は、本考案に係るハードディスクケースであって、本体ケース１の開口部１１内の底部にハードディスクと連接するための端子部１４を有するが、該開口部１１には特段の蓋体を有さない一例を示す図である。
【００２７】
従って、本図のようにハードディスクをそのまま開口部１１に挿入することによって立設状態でハードディスクを装着できると共に、着脱を極めて簡単に行なうことができるものである。
【図面の簡単な説明】
【００２８】
【図１】本考案に係るハードディスクケースの一例を示す図
【図２】本考案に係るハードディスクケースの一例を示す図
【図３】本考案に係るハードディスクケースにハードディスクを装着した一例を示す図
【図４】本考案に係るハードディスクケースにハードディスクを装着した一例を示す図
【図５】本考案に係るハードディスクケースの一例を示す図
【図６】本考案に係るハードディスクケースの一例を示す図
【図７】本考案に係るハードディスクケースの他の一例を示す図
【図８】本考案に係るハードディスクケースの他の一例を示す図
【符号の説明】
【００２９】
１    ケース本体
１１    開口部
１２    ＬＥＤ
１４    端子部
１５    電源供給用端子部
１６    スイッチ部
１７    連接用端子部
１８    連接用端子部
１９    連接用端子部
２    蓋体
２００  一辺
２１    突出平板辺部
２１０  他端辺
３      ３．５インチのハードディスク
４      ２．５インチのハードディスク
【図１】
0003134695.tif 000003
【図２】
0003134695.tif 000004
【図３】
0003134695.tif 000005
【図４】
0003134695.tif 000006
【図５】
0003134695.tif 000007
【図６】
0003134695.tif 000008
【図７】
0003134695.tif 000009
【図８】
0003134695.tif 000010